(57)【要約】【課題】吐出液滴量を重量法で高精度に測定できる吐出液滴量測定方法を提供する。【解決手段】メディア上に液滴を打滴し、打滴後のメディアの重量を測定して、吐出液滴量を測定する。メディア上に液滴を打滴する際、測定対象とするサイズの小液滴と、測定対象とするサイズの液滴よりも大きいサイズの大液滴を混在させた所定の打滴パターンで打滴し、大液滴で周囲の水蒸気を飽和させ、測定対象とする小液滴の蒸発を抑制する。これにより、蒸発による重量変化を抑えて、重量法で高精度に吐出液滴量を測定できる。【選択図】  図７
2011183784.tif 000002
【特許請求の範囲】
【請求項１】
サイズの異なる液滴を吐出可能な液滴吐出ヘッドの吐出液滴量測定方法において、
測定対象とするサイズの液滴と、測定対象とするサイズよりも大きいサイズの液滴とで構成される打滴パターンであって、前記測定対象とするサイズよりも大きいサイズの液滴で周囲の水蒸気を飽和させ、前記測定対象とするサイズの液滴の蒸発を抑制可能な配列の打滴パターンで所定のメディア上に液滴を打滴する工程と、
前記液滴打滴後の前記メディアの重量を測定する工程と、
前記液滴打滴前の前記メディアの重量、前記液滴打滴後の前記メディアの重量、前記メディア上に打滴した前記測定対象とするサイズよりも大きいサイズの液滴の重量、前記メディア上に打滴した前記測定対象とするサイズよりも大きいサイズの液滴の打滴数、及び、前記メディア上に打滴した前記測定対象とするサイズの液滴の打滴数の各情報を取得し、取得した各情報に基づいて前記測定対象とするサイズの液滴の重量を算出する工程と、
からなり、前記算出した重量を前記測定対象とするサイズの液滴の吐出液滴量とすることを特徴とする吐出液滴量測定方法。
【請求項２】
前記測定対象とするサイズの液滴は、体積が４ｐｌ以下の液滴であり、前記測定対象とするサイズよりも大きいサイズの液滴は、体積が６ｐｌ以上の液滴であることを特徴とする請求項１に記載の吐出液滴量測定方法。
【請求項３】
前記打滴パターンは、前記測定対象とするサイズの液滴が打適される領域と、前記測定対象とするサイズよりも大きいサイズの液滴が打適される領域とが交互に配置された構成であることを特徴とする請求項１又は２に記載の吐出液滴量測定方法。
【請求項４】
前記打滴パターンは、前記測定対象とするサイズの液滴が打適される領域と、前記測定対象とするサイズよりも大きいサイズの液滴が打適される領域とがマトリクス状に交互に配置された構成であることを特徴とする請求項３に記載の吐出液滴量測定方法。
【請求項５】
前記打滴パターンは、前記測定対象とするサイズの液滴が打適される領域と、前記測定対象とするサイズよりも大きいサイズの液滴が打適される領域とが、ノズルの配列方向と直交する方向にライン状に交互に配置された構成であることを特徴とする請求項３に記載の吐出液滴量測定方法。
【請求項６】
前記測定対象とするサイズの液滴が打適される領域と、前記測定対象とするサイズよりも大きいサイズの液滴が打適される領域との間隔を１ｍｍ以下とすることを特徴とする請求項４又は５に記載の吐出液滴量測定方法。
【請求項７】
前記打滴パターンは、前記測定対象とするサイズの液滴の周囲に前記測定対象とするサイズよりも大きいサイズの液滴が配置された構成であることを特徴とする請求項１又は２に記載の吐出液滴量測定方法。
【請求項８】
前記打滴パターンは、前記測定対象とするサイズの液滴の周囲を前記測定対象とするサイズよりも大きいサイズの液滴で囲う配置であることを特徴とする請求項７に記載の吐出液滴量測定方法。
【請求項９】
前記打滴パターンは、前記測定対象とするサイズよりも大きいサイズの液滴の割合が、前記測定対象とするサイズの液滴の割合よりも多くなるように設定されることを特徴とする請求項１〜８のいずれか一項に記載の吐出液滴量測定方法。
【請求項１０】
サイズの異なる液滴を吐出可能な液滴吐出ヘッドの吐出液滴量測定方法において、
所定のメディア上の同一位置に測定対象とするサイズよりも大きいサイズの液滴を所定回数打滴した後、測定対象とするサイズの液滴を所定回数打滴する工程と、
前記液滴打滴後の前記メディアの重量を測定する工程と、
前記液滴打滴前の前記メディアの重量、前記液滴打滴後の前記メディアの重量、前記メディア上に打滴した前記測定対象とするサイズよりも大きいサイズの液滴の重量、前記メディア上に打滴した前記測定対象とするサイズよりも大きいサイズの液滴の打滴数、及び、前記メディア上に打滴した前記測定対象とするサイズの液滴の打滴数の各情報を取得し、取得した各情報に基づいて前記測定対象とするサイズの液滴の重量を算出する工程と、
からなり、前記算出した重量を前記測定対象とするサイズの液滴の吐出液滴量とすることを特徴とする吐出液滴量測定方法。
【請求項１１】
サイズの異なる液滴を吐出可能な液滴吐出ヘッドの吐出液滴量測定方法において、
所定のメディア上の同一位置に測定対象とするサイズよりも大きいサイズの液滴と測定対象とするサイズの液滴とを交互に所定回数打滴する工程と、
前記液滴打滴後の前記メディアの重量を測定する工程と、
前記液滴打滴前の前記メディアの重量、前記液滴打滴後の前記メディアの重量、前記メディア上に打滴した前記測定対象とするサイズよりも大きいサイズの液滴の重量、前記メディア上に打滴した前記測定対象とするサイズよりも大きいサイズの液滴の打滴数、及び、前記メディア上に打滴した前記測定対象とするサイズの液滴の打滴数の各情報を取得し、取得した各情報に基づいて前記測定対象とするサイズの液滴の重量を算出する工程と、
からなり、前記算出した重量を前記測定対象とするサイズの液滴の吐出液滴量とすることを特徴とする吐出液滴量測定方法。
【請求項１２】
前記測定対象とするサイズよりも大きいサイズの液滴の打滴数が、前記測定対象とするサイズの液滴の打滴数よりも多くなるように設定されることを特徴とする請求項１０又は１１に記載の吐出液滴量測定方法。
【請求項１３】
前記測定対象とするサイズよりも大きいサイズの液滴の重量は、前記所定のメディア上に前記測定対象とするサイズよりも大きいサイズの液滴を所定回数打滴し、打滴後の前記メディアの重量を測定し、測定された前記打滴後の前記メディアの重量と前記測定対象とするサイズよりも大きいサイズの液滴の打滴数とに基づいて算出して取得することを特徴とする請求項１〜１２のいずれか一項に記載の吐出液滴量測定方法。
【発明の詳細な説明】
【技術分野】
【０００１】
本発明は吐出液滴量測定方法に係り、特に微小サイズの液滴を吐出させたときの吐出液滴量を重量法で測定する吐出液滴量測定方法に関する。
【背景技術】
【０００２】
インクジェットプリンタ等に用いられる液滴吐出ヘッド（インクジェットヘッド）は、ノズルから決められた液滴量で液滴を吐出できることが重要となる。このためには、ノズルから吐出される液滴の液滴量を高精度に測定する必要がある。
【０００３】
液滴吐出ヘッドの吐出液滴量を測定する方法として、液滴をメディア上に吐出し、重さを測定する方法（重量法）が知られている。重量法は、測定が簡便であることから広く使用されている。
【０００４】
重量法において、その精度を上げるためには、測定される液滴の重量を実際に吐出された液滴の重量に可能な限り一致させることが重要となる。このためには、測定対象とするすべてのノズルで吐出液滴量が等しく、吐出させた液滴がすべてメディア上に着弾し、蒸発により液滴重量が変化しないようにすることが重要である。
【０００５】
そこで、従来は、すべてのノズルで吐出液滴量が等しくなるようにするため、ヘッドの製造精度の向上や、ノズル乾燥による吐出不安定（いわゆるレイテンシ）を防ぐための予備波形などの吐出安定化手法が講じられている。
【０００６】
また、メディアへの着弾性を向上させるため、波形の最適化（ミスト防止）や、飛翔距離の調整などの着弾安定化手法が講じられている。
【０００７】
また、蒸発を防ぐため、メディアの選択を最適化するなどの手段が講じられている。たとえば、インク着弾位置に撥インク性を有する薄板状の被塗布部材を設けることによって、着弾するインクの表面積を小さくし、蒸発による重量変化を小さくすることが提案されている。
【０００８】
この他、蒸発を防ぐため、不揮発性液体を使用したり、湿度を管理したり、油中へ吐出させたりするなどの手段が講じられている。
【先行技術文献】
【特許文献】
【０００９】
【特許文献１】特開２００７−７５７６７号公報
【発明の概要】
【発明が解決しようとする課題】
【００１０】
上記の対策のうち、吐出安定化と着弾安定化は、印刷品質向上のためにも重要な課題となるが、蒸発防止に関しては、本来の印刷作業では不要となる部分のため重量法固有の課題となる。特に、近年は高精細印刷のため液滴量の縮小化が進み、最小液滴サイズが２ｐｌ以下となる装置も出現している。このような状況では蒸発が容易に進行し、重量法で高精度な測定を行うことは、より困難となる。
【００１１】
本発明は、このような事情に鑑みてなされたもので、吐出液滴量を重量法で高精度に測定できる吐出液滴量測定方法を提供することを目的とする。
【課題を解決するための手段】
【００１２】
請求項１に係る発明は、前記目的を達成するために、サイズの異なる液滴を吐出可能な液滴吐出ヘッドの吐出液滴量測定方法において、測定対象とするサイズの液滴と、測定対象とするサイズよりも大きいサイズの液滴とで構成される打滴パターンであって、前記測定対象とするサイズよりも大きいサイズの液滴で周囲の水蒸気を飽和させ、前記測定対象とするサイズの液滴の蒸発を抑制可能な配列の打滴パターンで所定のメディア上に液滴を打滴する工程と、前記液滴打滴後の前記メディアの重量を測定する工程と、前記液滴打滴前の前記メディアの重量、前記液滴打滴後の前記メディアの重量、前記メディア上に打滴した前記測定対象とするサイズよりも大きいサイズの液滴の重量、前記メディア上に打滴した前記測定対象とするサイズよりも大きいサイズの液滴の打滴数、及び、前記メディア上に打滴した前記測定対象とするサイズの液滴の打滴数の各情報を取得し、取得した各情報に基づいて前記測定対象とするサイズの液滴の重量を算出する工程と、からなり、前記算出した重量を前記測定対象とするサイズの液滴の吐出液滴量とすることを特徴とする吐出液滴量測定方法を提供することを目的とする。
【００１３】
本発明では、所定の打滴パターンで液滴を打滴することにより、測定対象とするサイズの液滴の乾燥を抑制する。具体的には、測定対象とするサイズよりも大きいサイズの液滴で周囲の水蒸気を飽和させ、測定対象とするサイズの液滴の蒸発を抑制する。これにより、蒸発による重量変化を抑えて、重量法で高精度に吐出液滴量を測定できる。また、機器側に改造を加えることなく、既存の設備のまま使用することができる。
【００１４】
請求項２に係る発明は、前記目的を達成するために、前記測定対象とするサイズの液滴は、体積が４ｐｌ以下の液滴であり、前記測定対象とするサイズよりも大きいサイズの液滴は、体積が６ｐｌ以上の液滴であることを特徴とする請求項１に記載の吐出液滴量測定方法を提供する。
【００１５】
本発明によれば、測定対象とするサイズの液滴は体積が４ｐｌ以下の液滴で構成され、測定対象とするサイズよりも大きいサイズの液滴は体積が６ｐｌ以上の液滴で構成される。６ｐｌ以上の大きい液滴を配置することにより、周辺の水蒸気量を効率よく飽和させることができ、４ｐｌ以下の微小な液滴の蒸発量を効果的に抑えることができる。
【００１６】
請求項３に係る発明は、前記目的を達成するために、前記打滴パターンは、前記測定対象とするサイズの液滴が打適される領域と、前記測定対象とするサイズよりも大きいサイズの液滴が打適される領域とが交互に配置された構成であることを特徴とする請求項１又は２に記載の吐出液滴量測定方法を提供する。
【００１７】
本発明によれば、打滴パターンが、測定対象とするサイズの液滴が打適される領域と、測定対象とするサイズよりも大きいサイズの液滴が打適される領域とが交互に配置された構成とされる。このような配置とすることにより、測定対象とするサイズの液滴の蒸発を抑えつつ、打滴パターンを目視で確認でき、吐出不安定などのトラブルにも対応できるようになる。
【００１８】
請求項４に係る発明は、前記目的を達成するために、前記打滴パターンは、前記測定対象とするサイズの液滴が打適される領域と、前記測定対象とするサイズよりも大きいサイズの液滴が打適される領域とがマトリクス状に交互に配置された構成であることを特徴とする請求項３に記載の吐出液滴量測定方法を提供する。
【００１９】
本発明によれば、打滴パターンが、測定対象とするサイズの液滴が打適される領域と、測定対象とするサイズよりも大きいサイズの液滴が打適される領域とがマトリクス状に交互に配置された構成とされる。これにより、測定対象とするサイズの液滴の蒸発を効果的に抑えつつ、吐出不安定などをある程度目視で確認できるようになる。
【００２０】
請求項５に係る発明は、前記目的を達成するために、前記打滴パターンは、前記測定対象とするサイズの液滴が打適される領域と、前記測定対象とするサイズよりも大きいサイズの液滴が打適される領域とが、ノズルの配列方向と直交する方向にライン状に交互に配置された構成であることを特徴とする請求項３に記載の吐出液滴量測定方法を提供する。
【００２１】
本発明によれば、打滴パターンが、測定対象とするサイズの液滴が打適される領域と、測定対象とするサイズよりも大きいサイズの液滴が打適される領域とがマトリクス状に交互に配置された構成とされる。これにより、測定対象とするサイズの液滴の蒸発を抑えつつ、吐出不安定などを目視で確認できる。
【００２２】
請求項６に係る発明は、前記目的を達成するために、前記測定対象とするサイズの液滴が打適される領域と、前記測定対象とするサイズよりも大きいサイズの液滴が打適される領域との間隔を１ｍｍ以下とすることを特徴とする請求項４又は５に記載の吐出液滴量測定方法を提供する。
【００２３】
本発明によれば、測定対象とするサイズの液滴が打適される領域と、測定対象とするサイズよりも大きいサイズの液滴が打適される領域との間隔が１ｍｍ以下に設定される。これにより、測定対象とするサイズよりも大きいサイズの液滴による蒸発抑制効果をより高めることができる。
【００２４】
請求項７に係る発明は、前記目的を達成するために、前記打滴パターンは、前記測定対象とするサイズの液滴の周囲に前記測定対象とするサイズよりも大きいサイズの液滴が配置された構成であることを特徴とする請求項１又は２に記載の吐出液滴量測定方法を提供する。
【００２５】
本発明によれば、打滴パターンが、測定対象とするサイズの液滴の周囲に測定対象とするサイズよりも大きいサイズの液滴が配置された構成とされる。これにより、測定対象とするサイズの液滴の蒸発を効果的に抑えることができる。
【００２６】
請求項８に係る発明は、前記目的を達成するために、前記打滴パターンは、前記測定対象とするサイズの液滴の周囲を前記測定対象とするサイズよりも大きいサイズの液滴で囲う配置であることを特徴とする請求項７に記載の吐出液滴量測定方法を提供する。
【００２７】
本発明によれば、打滴パターンは、測定対象とするサイズの液滴の周囲を測定対象とするサイズよりも大きいサイズの液滴で囲う配置とされる。これにより、測定対象とするサイズの液滴の蒸発をさらに効果的に抑えることができる。
【００２８】
請求項９に係る発明は、前記目的を達成するために、前記打滴パターンは、前記測定対象とするサイズよりも大きいサイズの液滴の割合が、前記測定対象とするサイズの液滴の割合よりも多くなるように設定されることを特徴とする請求項１〜８のいずれか一項に記載の吐出液滴量測定方法を提供する。
【００２９】
本発明によれば、打滴パターンは、測定対象とするサイズよりも大きいサイズの液滴の割合が、測定対象とするサイズの液滴の割合よりも多くなるように設定される。これにより、測定対象とするサイズの液滴の蒸発をさらに効果的に抑えることができる。
【００３０】
請求項１０に係る発明は、前記目的を達成するために、サイズの異なる液滴を吐出可能な液滴吐出ヘッドの吐出液滴量測定方法において、所定のメディア上の同一位置に測定対象とするサイズよりも大きいサイズの液滴を所定回数打滴した後、測定対象とするサイズの液滴を所定回数打滴する工程と、前記液滴打滴後の前記メディアの重量を測定する工程と、前記液滴打滴前の前記メディアの重量、前記液滴打滴後の前記メディアの重量、前記メディア上に打滴した前記測定対象とするサイズよりも大きいサイズの液滴の重量、前記メディア上に打滴した前記測定対象とするサイズよりも大きいサイズの液滴の打滴数、及び、前記メディア上に打滴した前記測定対象とするサイズの液滴の打滴数の各情報を取得し、取得した各情報に基づいて前記測定対象とするサイズの液滴の重量を算出する工程と、からなり、前記算出した重量を前記測定対象とするサイズの液滴の吐出液滴量とすることを特徴とする吐出液滴量測定方法を提供する。
【００３１】
本発明では、メディア上の同一位置に測定対象とするサイズよりも大きいサイズの液滴を所定回数打滴した後、測定対象とするサイズの液滴を所定回数打滴して、測定対象とするサイズの液滴の蒸発を抑制する。これにより、蒸発による重量変化を抑えて、重量法で高精度に吐出液滴量を測定できる。また、機器側に改造を加えることなく、既存の設備のまま使用することができる。
【００３２】
請求項１１に係る発明は、前記目的を達成するために、サイズの異なる液滴を吐出可能な液滴吐出ヘッドの吐出液滴量測定方法において、所定のメディア上の同一位置に測定対象とするサイズよりも大きいサイズの液滴と測定対象とするサイズの液滴とを交互に所定回数打滴する工程と、前記液滴打滴後の前記メディアの重量を測定する工程と、前記液滴打滴前の前記メディアの重量、前記液滴打滴後の前記メディアの重量、前記メディア上に打滴した前記測定対象とするサイズよりも大きいサイズの液滴の重量、前記メディア上に打滴した前記測定対象とするサイズよりも大きいサイズの液滴の打滴数、及び、前記メディア上に打滴した前記測定対象とするサイズの液滴の打滴数の各情報を取得し、取得した各情報に基づいて前記測定対象とするサイズの液滴の重量を算出する工程と、からなり、前記算出した重量を前記測定対象とするサイズの液滴の吐出液滴量とすることを特徴とする吐出液滴量測定方法を提供する。
【００３３】
本発明では、メディア上の同一位置に測定対象とするサイズよりも大きいサイズの液滴と測定対象とするサイズの液滴を交互に所定回数打滴して、測定対象とするサイズの液滴の蒸発を抑制する。これにより、蒸発による重量変化を抑えて、重量法で高精度に吐出液滴量を測定できる。また、機器側に改造を加えることなく、既存の設備のまま使用することができる。
【００３４】
請求項１２に係る発明は、前記目的を達成するために、前記測定対象とするサイズよりも大きいサイズの液滴の打滴数が、前記測定対象とするサイズの液滴の打滴数よりも多くなるように設定されることを特徴とする請求項１０又は１１に記載の吐出液滴量測定方法を提供する。
【００３５】
本発明によれば、測定対象とするサイズよりも大きいサイズの液滴の打滴数が、測定対象とするサイズの液滴の打滴数よりも多くなるように設定される。これにより、より効果的に測定対象とするサイズの液滴の蒸発を抑えることができる。
【００３６】
請求項１３に係る発明は、前記目的を達成するために、前記測定対象とするサイズよりも大きいサイズの液滴の重量は、前記所定のメディア上に前記測定対象とするサイズよりも大きいサイズの液滴を所定回数打滴し、打滴後の前記メディアの重量を測定し、測定された前記打滴後の前記メディアの重量と前記測定対象とするサイズよりも大きいサイズの液滴の打滴数とに基づいて算出して取得することを特徴とする請求項１〜１２のいずれか一項に記載の吐出液滴量測定方法。
【００３７】
本発明によれば、測定対象とするサイズよりも大きいサイズの液滴の重量が重量法で測定される。これにより、測定対象とするサイズの液滴の測定条件と同じになり、さらに測定精度を向上させることができる。
【発明の効果】
【００３８】
本発明によれば、液滴吐出ヘッドの吐出液滴量を重量法で高精度に測定できる。
【図面の簡単な説明】
【００３９】
【図１】インクジェット記録装置の記録部の概略構成を示す斜視図
【図２】インクジェットヘッドのノズル面の平面透視図
【図３】インクジェットヘッドの内部の概略構造を示す縦断面図
【図４】インクジェットヘッドの駆動を制御するヘッド駆動制御部の概略構成を示すブロック図
【図５】１記録周期内で組み込む吐出パルスの波高値を変えることにより液滴のサイズを変える場合の駆動波形の一例を示す図
【図６】組み込む吐出パルスの数を変えることにより液滴のサイズを変える場合の駆動波形の例を示す図
【図７】吐出液滴量の測定手順の第１の実施の形態を示すフローチャート
【図８】打滴パターンの一例を示す図
【図９】小液滴と大液滴とを混在させて打滴するときの液滴の配列の一例を示す図
【図１０】吐出液滴量の測定手順の第２の実施の形態を示すフローチャート
【発明を実施するための形態】
【００４０】
以下、添付図面に従って本発明に係る吐出液滴量測定方法の好ましい実施の形態について詳説する。
【００４１】
なお、本例ではインクジェット記録装置に搭載されるインクジェットヘッド（液滴吐出ヘッド）の吐出液滴量を測定する場合を例に説明する。
【００４２】
《インクジェット記録装置の概略構成》
図１はインクジェット記録装置の記録部の概略構成を示す斜視図である。
【００４３】
同図に示すインクジェット記録装置１０は、メディア１２にシングルパス方式で画像を記録するラインプリンタであり、メディア幅に対応したインクジェットヘッド２０（ラインヘッド）が搭載されている。
【００４４】
メディア１２は、搬送テーブル１４の上に保持されて、所定の搬送経路を搬送される。
【００４５】
搬送テーブル１４は、一対のレール１６の上をスライド自在に設けられており、その上面に水平なメディア保持面１４Ａが形成されている。メディア１２は、この搬送テーブル１４の上面に形成されたメディア保持面１４Ａに吸着保持される（たとえば、真空吸着や静電吸着により保持される。）。
【００４６】
また、搬送テーブル１４には、ナット部１４Ｂが設けられている。ナット部１４Ｂは、レール１６と平行に配設されたネジ棒１８に螺合されている。ネジ棒１８は、図示しないモータに連結されており、このモータに駆動されて正・逆回転する。そして、このネジ棒１８が回転することにより、搬送テーブル１４がレール１６の上を前後移動する。
【００４７】
インクジェットヘッド２０は、ラインヘッドで構成され、メディア１２の搬送経路上に配置される。インクジェットヘッド２０の下面にはノズル面が形成されており、このノズル面に形成されたノズルから鉛直下向きにインクの液滴が吐出される。
【００４８】
以上の構成の記録部では、メディア１２は、搬送テーブル１４のメディア保持面１４Ａに吸着保持されて所定の搬送経路を搬送される。そして、その搬送過程でインクジェットヘッド２０の下を通過し、その通過時に表面（上面）にインクの液滴が打滴されて、表面に画像が記録される。
【００４９】
《インクジェットヘッドの構成》
上記のように、インクジェットヘッド２０は、メディア１２の幅に対応したラインヘッドで構成される。
【００５０】
図２は、インクジェットヘッドのノズル面の平面透視図である。
【００５１】
同図に示すように、本実施の形態のインクジェットヘッド２０は、ノズル面２０Ａにノズル２２が二次元マトリクス状に配置されている（いわゆるマトリクスヘッド）。より具体的には、メディア１２の搬送方向に対して所定角度傾斜した方向に複数のノズル２２が一定ピッチで配置されてノズル列が形成されるとともに、そのノズル列がメディア１２の搬送方向と直交する方向に一定ピッチで多数配列された構成とされている。
【００５２】
このような配置構成とすることにより、ヘッドの長手方向（メディア１２の搬送方向と直交する方向）に投影される実質的なノズル２２の間隔を狭めることができ、ノズル２２の高密度化を図ることができる。
【００５３】
各ノズル２２は、それぞれノズル流路２４を介して圧力室２６に連通されている（図３参照）。
【００５４】
図３は、インクジェットヘッドの内部の概略構造を示す縦断面図である。
【００５５】
同図に示すように、圧力室２６は、直方体形状の空間として形成されており、その底面の一角にノズル流路２４が連通されている。ノズル流路２４は、圧力室２６から鉛直下向きに延びてノズル２２に連通されている。
【００５６】
圧力室２６の天井壁面は、振動板２８で構成されており、上下方向に変形可能に形成されている。この振動板２８の上には、アクチュエータとしての圧電素子（ピエゾ素子）３０が取り付けられており、振動板２８は、この圧電素子３０によって上下方向に変形する。そして、この振動板２８が上下方向に変形することにより、圧力室２６の容積が膨張、収縮し、ノズル２２からインクの液滴が吐出される。
【００５７】
圧電素子３０は、その上部に設けられた図示しない個別電極と、共通電極として作用する振動板２８との間に所定の駆動電圧を印加することにより駆動される。
【００５８】
圧力室２６の天井壁面の一角（ノズル流路２４の対角位置）には、圧力室２６にインクを供給するための個別供給流路３２が連通されている。この個別供給流路３２は、各個別供給流路３２にインクを供給するための共通供給流路３４に連通されている。
【００５９】
共通供給流路３４は、メディア１２の搬送方向に対して所定の傾きをもって並ぶノズル２２の列単位（図２参照）で設けられている。各列に属するノズル２２の圧力室２６には、この共通供給流路３４から個別供給流路３２を介してインクが供給される。
【００６０】
各列の共通供給流路３４は、図示しないインク供給流路に連通されており、インク供給流路は、図示しないインク供給口に連通されている。インクタンクからのインクは、このインク供給口に供給される。そして、このインク供給口に供給されたインクが、インク供給流路を介して各列の共通供給流路３４に供給され、さらに個別供給流路３２を介して各圧力室２６に供給される。
【００６１】
ノズル流路２４には、その流路の途中に個別回収流路３６が連通されている。個別回収流路３６は、ノズル２２の近傍位置でノズル流路２４に連通されており、水平に延びて、その先端は共通回収流路３８に連通されている。
【００６２】
共通回収流路３８は、共通供給流路３４と同様に、メディア１２の搬送方向に対して所定の傾きをもって並ぶノズル２２の列単位で設けられている。そして、各列の共通回収流路３８は、図示しないインク回収流路に連通されており、インク回収流路は、図示しないインク回収口に連通されている。
【００６３】
各ノズル流路２４を流れるインクは、一部が個別回収流路３６に流れ、共通回収流路３８に回収される。そして、各共通回収流路３８からインク回収流路、インク回収口を介してインクタンクに回収される。すなわち、本例のインクジェットヘッド２０において、インクは循環して供給される。
【００６４】
《インクジェットヘッドの駆動制御部の構成》
図４は、インクジェットヘッドの駆動を制御するヘッド駆動制御部の概略構成を示すブロック図である。
【００６５】
同図に示すように、ヘッド駆動制御部１００は、コントローラ１１２、画像入力部１１４、画像処理部１１６、データ記憶部１１８、操作部１２０、ヘッドドライバ１２２等を備えて構成されている。
【００６６】
コントローラ１１２は、マイコンで構成され、所定の制御プログラムを実行して、各部を統括制御する。
【００６７】
画像入力部１１４は、メディア１２に記録する画像データ（たとえば、ＲＧＢ形式の画像データ）の取り込みを行う。
【００６８】
画像処理部１１６は、画像入力部１１４から取り込まれた画像データに色変換処理、ハーフトーン処理等の所要の信号処理を施して、印字制御用のドットデータを生成する。
【００６９】
データ記憶部１１８は、制御に必要な各種データが記憶される。後述する吐出液滴量を測定するための打滴パターンのデータ等は、このデータ記憶部１１８に格納される。
【００７０】
操作部１２０は、キーボード等で構成される。制御に必要な情報の入力は、この操作部１２０を用いて行われる。
【００７１】
ヘッドドライバ１２２は、画像処理部１１６で生成されたドットデータに基づき、インクジェットヘッド２０の各アクチュエータ（圧電素子）３０を駆動するための信号を生成する。そして、このヘッドドライバ１２２で生成された信号（駆動信号）が、インクジェットヘッド２０の各アクチュエータ３０に印加されることにより、対応するノズル２２からインク滴が吐出される。
【００７２】
《インクジェットヘッドの駆動方法》
上記のように、インクジェットヘッド２０は、各ノズルに対応して設けられたアクチュエータ（圧電素子）に所定の駆動信号を印加することにより、各ノズルからインクの液滴が吐出される。この駆動信号は、一定の記録周期で印加され、その駆動波形を変えることにより、メディア上に打滴される液滴のサイズ（ドット径）を変えることができる。
【００７３】
図５は、１記録周期内で組み込む吐出パルスの波高値を変えることにより、液滴のサイズを変える場合の駆動波形の一例を示す図である。
【００７４】
同図（ａ）は小サイズの液滴を打滴する場合の駆動波形、同図（ｂ）は中サイズの液滴を打滴する場合の駆動波形、同図（ｃ）は大サイズの液滴を打滴する場合の駆動波形を示している。同図に示すように、吐出パルスの波高値（電圧）を変えることにより、打滴する液滴のサイズを変えることができる。そして、このように、サイズの異なる液滴を打滴可能にすることにより、階調記録を行うことができ、高品質な画像を記録することができる。
【００７５】
図６は、組み込む吐出パルスの数を変えることにより、液滴のサイズを変える場合の駆動波形の例を示す図である。
【００７６】
同図（ａ）は小サイズを吐出する場合の駆動波形、同図（ｂ）は中サイズを吐出する場合の駆動波形、同図（ｃ）は大サイズの液滴を吐出する場合の駆動波形を示している。
【００７７】
同図に示すように、吐出パルスは、一定間隔で組み込まれる。そして、１つのみ組み込むことにより小サイズの液滴、２つ組み込むことにより中サイズの液滴、４つ組み込むことにより大サイズの液滴が吐出される。
【００７８】
なお、図６に示すように、波高値が漸次増大するように吐出パルスを組み込むと、後に吐出したインク滴が、先に吐出したインク滴に追い付き、１滴の状態で記録媒体に着弾させることができる（いわゆる空中合体）。
【００７９】
なお、各吐出パルスの波高値を一定とし、組み込む吐出パルスの数を変えて、打滴する液滴のサイズを変えることもできる。この場合、同一個所に順次液滴が着弾し、所定サイズのドットが形成される。
【００８０】
このように、本発明における液滴のサイズには、空中での１粒の大きさを示す場合と、着弾時の大きさを示す場合の双方の概念を含むものである。
【００８１】
《吐出液滴量測定方法》
吐出液滴量の測定は重量法で行われる。重量法は、吐出させた液滴の乾燥が測定精度に大きな影響を及ぼす。特に、小サイズの液滴（たとえば、体積が４ｐｌ以下の液滴）の測定時に顕著となる。
【００８２】
そこで、本実施の形態では、小サイズの液滴の吐出液滴量を計測する際、小サイズの液滴（小液滴）と大サイズの液滴（大液滴）とを混在させて打滴し、大液滴で周辺の水蒸気を飽和させ、相対的に小液滴の蒸発を抑制する。
【００８３】
＜第１の実施の形態＞
図７は、吐出液滴量の測定手順の第１の実施の形態を示すフローチャートである。
【００８４】
まず、蒸発抑制に用いる大液滴の吐出液滴量を測定する（ステップＳ１０）。
【００８５】
大液滴は重量法でも測定値が安定するので、単体で高精度に測定することができる。
【００８６】
そこで、まず、大液滴の吐出液滴量（重量）を重量法で測定する。測定は、たとえば、メディア１２を静止させた状態でインクジェットヘッド２０の各ノズルから大液滴を一定回数吐出させて行う。ノズルから吐出された液滴（大液滴）は、同一個所に打滴される。打滴後、メディア１２の重量を測定し、メディア単体の重量と打滴数とから、吐出液滴量を算出する。すなわち、メディア単体の重量と液滴打滴後のメディア１２の重量との差分が全吐出液滴量となるので、これを総打滴数で除算すれば、吐出液滴量を求めることができる。たとえば、ノズル面２０Ａに設けられたノズル２２の数をＮとし、各ノズル２２からＳ発の液滴を吐出させた場合、メディア単体の重量をＷ０、打滴後のメディアの重量をＷ１とすると、吐出液滴量Ｘは、Ｘ＝（Ｗ１−Ｗ０）／Ｎ×Ｓとなる。
【００８７】
次に、メディア単体の重量Ｗ０を測定する（ステップＳ１２）。
【００８８】
なお、メディア１２には、蒸発を抑制するため、非浸透系材料を用いることが好ましい。
【００８９】
また、大量にと吐出させる場合は、垂れ落ちるのを防止するため、プラスチックトレーを用いることが好ましい。
【００９０】
次に、所定の打滴パターンでメディア上に液滴を打滴する（ステップＳ１４）。
【００９１】
この打滴パターンは、測定対象とする小液滴と、上記蒸発抑制用の大液滴とを混在させたパターンとして、大液滴で周囲の水蒸気を飽和させ、測定対象とする小液滴の蒸発を抑制する。
【００９２】
図８は打滴パターンの一例を示す図である。
【００９３】
同図（ａ）は、測定対象とする小液滴と蒸発抑制用の大液滴とを混合して配置した構成のものである。すなわち、小液滴の周囲に大液滴を近接して配置した構成のものである。大液滴は、たとえば、図９（ａ）に示すように、小液滴の前後左右に配置される。あるいは、前後左右に加えて、斜め位置に配置し、小液滴の周囲を完全に囲む形で配置される。
【００９４】
このように、測定対象とする小液滴に近接して蒸発抑制用の大液滴を配置することにより、効果的に小液滴の蒸発を抑制することができる。
【００９５】
同図（ｂ）は、測定対象とする小液滴を打滴する領域［Ｓｍａｌｌ］と、蒸発抑制用の大液滴を打滴する領域［Ｌａｒｇｅ］とをメディア１２の搬送方向（インクジェットヘッド２０における実質的なノズルの配列方向と直交する方向）に沿って一定幅で形成し、これをメディア１２の搬送方向と直交する方向に一定の間隔をもって交互に配置した構成のものである（メディアの搬送方向に沿った方向のストライプ状のパターン（縦ストライプ状のパターン））。
【００９６】
このような打滴パターンとすることにより、小液滴の蒸発を抑制できることに加えて、メディア１２に打滴された打滴パターンを目視で確認できるようになり、吐出不安定などのトラブルにも対応することができるようになる。
【００９７】
同図（ｃ）は、測定対象とする小液滴を打滴する領域［Ｓ］と、蒸発抑制用の大液滴を打滴する領域［Ｌ］とをマトリクス状に配置した構成のものである。
【００９８】
蒸発抑制を最優先する場合は、図８（ａ）に示すように、測定対象とする小液滴と、蒸発抑制用の大液滴とが混合して配置された打滴パターンを採用することが好ましい。一方、吐出不安定などのトラブルにも対応できるように場合は、図８（ｂ）に示すように、縦ストライプ状のパターンを採用することが好ましい。同図（ｃ）は、両者の中間的な性質を有するパターンである。すなわち、蒸発抑制の機能を確保しつつ、打滴パターンから吐出不安定などの不具合も目視で確認することができる。
【００９９】
同図（ｄ）は、測定対象とする小液滴を吐出させるノズルと、蒸発抑制用の大液滴を吐出させるノズルを交互に設定した場合の打滴パターンである。この場合、大液滴の列と小液滴の列がメディア１２の搬送方向と直交する方向に交互に形成される。
【０１００】
この場合も小液滴の蒸発を抑制しつつ、打滴パターンから吐出不安定などの不具合を目視で確認することができる。
【０１０１】
なお、測定対象とする小液滴を吐出させるノズルと、蒸発抑制用の大液滴を吐出させるノズルは、複数個置きに交互に設定する構成としてもよい。また、その比率も変えてもよい。たとえば、大液滴を吐出させるノズルを２とし、小液滴を吐出させるノズルを１として、交互に設定する構成としてもよい。この場合、２列置きに小液滴の列が配置される構成となる。
【０１０２】
同図（ｅ）は、測定対象とする小液滴を打滴する領域［Ｓｍａｌｌ］と、蒸発抑制用の大液滴を打滴する領域［Ｌａｒｇｅ］とをメディア１２の搬送方向と直交するに沿って一定幅で形成し、これをメディア１２の搬送方向に一定の間隔をもって交互に配置した構成のものである（メディアの搬送方向と直交する方向のストライプ状のパターン（横ストライプ状のパターン））。
【０１０３】
このように、測定対象とする小液滴を打滴する領域［Ｓｍａｌｌ］と、蒸発抑制用の大液滴を打滴する領域［Ｌａｒｇｅ］とをメディア１２の搬送方向に沿って交互に配置することによっても、小液滴の蒸発を抑制することができる。
【０１０４】
なお、この場合、各ノズルは、大液滴を連続して吐出した後、小液滴を連続して吐出する工程を交互に繰り返して、打滴パターンを形成することとなる。
【０１０５】
また、同図に示す例では、測定対象とする小液滴を打滴する領域［Ｓｍａｌｌ］と、蒸発抑制用の大液滴を打滴する領域［Ｌａｒｇｅ］の幅（メディア１２の搬送方向の幅）を同じにしているが、両者に差を設けてもよい。この場合、小液滴を打滴する領域の幅よりも大液滴を打滴する領域の幅を広くする。これにより、小液滴の蒸発抑制効果をさらに高めることができる。
【０１０６】
同図（ｆ）は、測定対象とする小液滴と、蒸発抑制用の大液滴を交互に打滴して構成される打滴パターンである。
【０１０７】
このように、測定対象とする小液滴と、蒸発抑制用の大液滴とを交互に打滴することにより、蒸発抑制効果を得つつ、各ノズルから液滴を均一に打滴することができる。
【０１０８】
同図（ｇ）は、蒸発抑制用の大液滴を打滴する領域を枠状に形成し、その枠内に測定対象とする小液滴を打滴する領域を形成した構成のものである。
【０１０９】
このように測定対象とする小液滴を打滴する領域を大液滴で囲う構成とすることにより、効果的に小液滴の蒸発を抑制することができる。
【０１１０】
同図（ｈ）は、蒸発抑制用の大液滴を打滴する領域を枠状に形成し、その枠内に測定対象とする小液滴を打滴する領域を形成した構成のものをマトリクス状に配置した構成のものである。
【０１１１】
このように小液滴の打滴領域を小ブロックに分割し、その周囲を大液滴で囲う構成とすることにより、さらに効果的に小液滴の蒸発を抑制することができる。
【０１１２】
このように、打滴パターンには種々のパターンを設定することができ、目的（蒸発抑制を最優先するか否か、打滴パターンの目視を可能にするか否かなど）や、ヘッドの特性、ノズルの配列、メディア１２の濡れ性、蒸発特性などによって、適宜選択することができる。
【０１１３】
なお、小液滴を打滴する領域と大液滴を打滴する領域を分割する場合、その両者の間隔ｄは１ｍｍとすることが好ましい。１ｍｍを超えると、大液滴による蒸発抑制効果が低下するからである。
【０１１４】
また、打滴パターンは、蒸発抑制用の大液滴の割合が、測定対象とする小液滴の割合よりも多くなるように設定することが好ましい。すなわち、小液滴の全体積に対する小液滴の全体積の比（［大液滴の全体積］／［小液滴の全体積］）が１を超えるように設定する。これにより、小液滴の蒸発を効果的に抑制することができる。
【０１１５】
打滴パターンの情報は、データ記憶部１１８に格納されている。コントローラ１１２は、吐出液滴量測定時に、この打滴パターンの情報をデータ記憶部１１８から読み出し、読み出した打滴パターンの情報に従って、メディア上に液滴を打滴する。
【０１１６】
なお、上述したような打滴パターンを複数用意しておき、ユーザが任意に選択できるようにしてもよい。あるいは、所要の情報（使用するインクの情報、メディアの情報、ヘッドの情報等）をユーザが入力して、又は、コントローラ１１２が自動的に取得して、最適な打滴パターンをコントローラ１１２が自動で選択するようにしてもよい。
【０１１７】
打滴パターンに従って液滴をメディア上に打滴後、メディアを回収し、液滴が打滴されたメディアの重量Ｗ１を測定する（ステップＳ１６）。
【０１１８】
そして、得られた液滴打滴後のメディア１２の重量Ｗ１と、メディア単体の重量Ｗ０と、大液滴の吐出液滴量ＬＸと、大液滴の打滴数ＬＮと、小液滴の打滴数ＳＳとから小液滴の吐出液滴量ＳＸ（重量）を算出する（ステップＳ１８）。
【０１１９】
ここで、大液滴の打滴数ＬＳと小液滴の打滴数ＳＳの情報は、使用した打滴パターンから取得する。
【０１２０】
小液滴の吐出液滴量ＳＸは、ＳＸ＝[（Ｗ１−Ｗ０）−ＬＳ×ＬＸ]／ＳＳにより求めることができる。
【０１２１】
すなわち、液滴打滴後のメディア１２の重量Ｗ１とメディア単体の重量Ｗ０との差分（Ｗ１−Ｗ０）が全吐出液滴量であり、そのうち大液滴の全吐出液滴量が（ＬＳ×ＬＸ）なので、小液滴の全吐出液滴量は、[（Ｗ１−Ｗ０）−ＬＳ×ＬＸ]となる。小液滴の打滴数はＳＳなので、小液滴の全吐出液滴量[（Ｗ１−Ｗ０）−ＬＳ×ＬＸ]から小液滴の打滴数ＳＳを除算することにより、小液滴の吐出液滴量ＳＸを求めることができる。なお、ここでの吐出液滴量は重量であるので、必要に応じて体積に変換する。
【０１２２】
以上により、測定対象とする小サイズの液滴（小液滴）の吐出液滴量を求めることができる。
【０１２３】
以上説明したように、本実施の形態の吐出液滴量測定方法では、測定対象とするサイズの液滴と、蒸発抑制用の液滴とを混在させて、メディア上に打滴し、測定対象とするサイズの液滴の吐出液滴量を測定する。これにより、蒸発を抑えて、測定対象とするサイズの液滴の吐出液滴量を高精度に測定することができる。
【０１２４】
なお、上記実施の形態では、メディア上に所定の打滴パターンで液滴を打滴する前に、蒸発抑制用の大液滴の吐出液滴量の測定を行っているが、蒸発抑制用の大液滴の吐出液滴量の測定は、所定の打滴パターンで液滴を打滴した後に実施してもよい。すなわち、蒸発抑制用の大液滴の吐出液滴量の情報は、測定対象とするサイズの液滴の吐出液滴量を算出するまでに取得しておけばよい。
【０１２５】
また、本実施の形態では、蒸発抑制用の大液滴の吐出液滴量を重量法で測定しているが、蒸発抑制用の大液滴の吐出液滴量を求める方法は、これに限らず他の公知の方法を用いて測定することができる。
【０１２６】
また、本実施の形態では、蒸発抑制用に大サイズの液滴を打滴する構成としているが、蒸発抑制に用いる液滴のサイズは、これに限定されるものではなく、中サイズや特大サイズの液滴を吐出可能な場合は、これらのサイズの液滴を蒸発抑制用の液滴に用いることができる。また、複数サイズの液滴を蒸発抑制用の液滴に用いることもできる。これらは、インクの組成やヘッドの性能等に基づいて適宜選択することが好ましい。
【０１２７】
また、重量法では、使用する秤の精度が測定精度に大きく影響するので、使用する秤の精度に応じて、打滴パターン（全吐出液滴量）を設定することが好ましい。
【０１２８】
また、吐出不良が生じているノズルが存在する場合は、測定精度に大きく影響を及ぼすので、事前に吐出不良を生じているノズルを調べておくことが好ましい。
【０１２９】
また、上記実施の形態では、すべてのノズルから液滴を吐出させる構成としているが、必ずしもすべてのノズルから液滴を吐出させる必要はなく、選択的に吐出させるようにしてもよい。
【０１３０】
なお、本発明は、吐出させた液滴の蒸発を抑制して、高精度な測定を行うことを目的としているので、蒸発が問題となるサイズの液滴の吐出液滴量を測定する場合に特に有効に作用する。特に、４ｐｌ以下の微小液滴の吐出液滴量を測定する場合に有効に作用する。
【０１３１】
＜実施例＞
大サイズの液滴（大液滴）と小サイズの液滴（小液滴）とを吐出可能なインクジェットヘッドにおいて、上記方法で小液滴の吐出液滴量を測定する実験を行った。
【０１３２】
測定対象とするインクジェットヘッドには、ノズル数が２０００のマトリックスヘッドを使用した。
【０１３３】
・大液滴の吐出液滴量
まず、大液滴の吐出液滴量を測定した。測定は重量法で行った。具体的には、メディアを静止させた状態でインクジェットヘッドの各ノズルから大液滴を２０００発吐出させ、吐出後のメディアの重量を測定した。メディアには、インクジェット用光沢紙を使用した。測定値ＸＬは６．０±０．２ｐｌであった。
【０１３４】
・メディア単体の重量
メディアには、入手性とインクの濡れ性を考慮し、インクジェット用光沢紙を使用した。
【０１３５】
・メディアへの打滴
大液滴を吐出させるノズルと、小液滴を吐出させるノズルを交互に設定し、各ノズルから２０００発の液滴を吐出させて構成される打滴パターンを使用した。したがって、大液滴を吐出させるノズルのノズル数は１０００、小液滴を吐出させるノズルのノズル数も１０００であり、大液滴の打滴数は１０００×２０００、小液滴の打滴数も１０００×２０００である。
【０１３６】
液滴打滴後のメディア上には、メディアの搬送方向に沿って所定長さの大液滴のラインと小液滴のラインが形成され、かつ、その大液滴のラインと小液滴のラインが、メディアの搬送方向と直交する方向に交互に形成される。
【０１３７】
・全吐出液滴量の算出
液滴打滴後のメディアの重量を測定し、事前に求めたメディア単体の重量との差分から全吐出液滴量（重量）を求めた。全吐出液滴量は、０．０１６±０．００２ｇであった。
【０１３８】
・小液滴の吐出液滴量の算出
事前に求めた大液滴の吐出液滴量と、大液滴の打滴数と、小液滴の打滴数とから、小液滴の吐出液滴量を算出した。算出結果は、２．０±０．１ｐｌであった。
【０１３９】
条件を変えて測定したところ、全吐出液滴量を０．０１ｇ以上とすることで測定値が安定した。
【０１４０】
したがって、打滴パターンは、全吐出液滴量が０．０１ｇ以上となるように設定することが好ましい。また、上記のように、測定対象とするサイズの液滴を打滴する割合よりも、蒸発抑制用の大液滴を打滴する割合を多く設定することが好ましい。
【０１４１】
また、重量法では、使用する秤の精度で測定精度が変わるので、全吐出液滴量を想定しておき、使用する秤の精度に応じて、打滴パターンを決定することが好ましい。
【０１４２】
＜第２の実施の形態＞
図１０は、吐出液滴量の測定手順の第２の実施の形態を示すフローチャートである。
【０１４３】
メディア上に測定対象とする液滴を吐出させる工程（ステップＳ２４）以外の工程は、上述した第１の実施の形態の測定手順と同じである。
【０１４４】
したがって、ここではメディア上に測定対象とする液滴を吐出させる工程についてのみ説明する。
【０１４５】
本実施の形態においても、測定対象とするサイズの液滴と、蒸発抑制用の大液滴とを混在させて、メディア上に液滴を打滴する。
【０１４６】
ただし、本実施の形態では、メディア１２を静止させた状態で同一個所に液滴を打滴する。
【０１４７】
液滴の打滴は、蒸発抑制用の液滴と、測定対象とするサイズの液滴とを交互に打滴する。この場合、最初に蒸発抑制用の液滴を打滴する。これにより、液滴を均一に打滴することができる。
【０１４８】
液滴の打滴は、一定回数行い、打滴終了後、メディア１２を回収する。そして、回収したメディア１２の重量を測定し（ステップＳ２６）、測定対象とするサイズの液滴の吐出液滴量を算出する（ステップＳ２８）。
【０１４９】
このように、蒸発抑制用の大液滴の上に測定対象とする小液滴を打滴することにより、小液滴の蒸発を抑制できる。これにより、重量法で高精度に小液滴の吐出液滴量を算出することができる。
【０１５０】
蒸発抑制用の大液滴と測定対象とする小液滴とを打滴する態様は、これに限定されるものではない。この他、たとえば、蒸発抑制用の大液滴を複数回連続的に打滴した後、測定対象とする小液滴を複数回連続的に打滴することを複数回繰り返してもよい。このように打滴することにより、蒸発抑制効果をさらに高めることができる。
【０１５１】
また、測定対象とする小液滴に隣接して、蒸発抑制用の大液滴が打滴されるように、測定対象とする小液滴を吐出させるノズルと、蒸発抑制用の大液滴を吐出させるノズルとを設定し、各ノズルから対象とする液滴を所定回数連続的に打滴する構成としてもよい。
【０１５２】
このように、蒸発抑制用の大液滴と測定対象とする小液滴とを打滴する態様は種々の態様を採ることができ、使用するインクや目的等に応じて、適宜選択して用いることができる。また、液滴の吐出にクロストークの影響を受ける場合は、クロストークを考慮して液滴の吐出条件を設定することが好ましい。
【０１５３】
また、本例の場合も、全吐出液滴量が０．０１ｇ以上で測定値が安定した。したがって、全吐出液滴量が０．０１ｇ以上になるように、測定対象とする液滴と蒸発抑制用の液滴の打滴数を設定することが好ましい。また、全吐出液滴量を想定しておき、使用する秤の精度に応じて、各打滴数を決定することが好ましい。
【０１５４】
また、上記実施の形態は、ラインヘッドの液滴吐出量を測定する場合を例に説明したが、測定対象とするインクジェットヘッド（液滴吐出ヘッド）の種類は、これに限定されるものではない。シャトル方式のヘッドの吐出液滴量を測定する場合にも同様に適用することができる。また、上記実施の形態では、いわゆるマトリックスヘッドの吐出液滴量を測定する場合を例に説明したが、ノズルの配置は、これに限定されるものではない。
【符号の説明】
【０１５５】
１０…インクジェット記録装置、１２…メディア、１４…搬送テーブル、１４Ａ…メディア保持面、１４Ｂ…ナット部、１６…レール、１８…ネジ棒、２０…インクジェットヘッド、２０Ａ…ノズル面、２２…ノズル、２４…ノズル流路、２６…圧力室、２８…振動板、３０…アクチュエータ（圧電素子（ピエゾ素子））、３２…個別供給流路、３４…共通供給流路、３６…個別回収流路、３８…共通回収流路、１００…ヘッド駆動制御部、１１２…コントローラ、１１４…画像入力部、１１６…画像処理部、１１８…データ記憶部、１２０…操作部、１２２…ヘッドドライバ
【図１】
2011183784.tif 000003
【図２】
2011183784.tif 000004
【図３】
2011183784.tif 000005
【図４】
2011183784.tif 000006
【図５】
2011183784.tif 000007
【図６】
2011183784.tif 000008
【図７】
2011183784.tif 000009
【図８】
2011183784.tif 000010
【図９】
2011183784.tif 000011
【図１０】
2011183784.tif 000012